(57)【要約】切削インサートは、インサート前面およびインサート上面の交差部に形成される、分割切れ刃を含み、前記分割切れ刃は、軸方向の前部切れ刃と軸方向の後部切れ刃を含む。アンダーは、インサート前面に位置し、前記切れ刃と後部切れ刃との間に延伸するアンダーカットエッジ部において分割切れ刃を遮る。アンダーカットエッジ部は、前記後部切れ刃の直線後部切れ刃部において、軸方向の後部切れ刃に移行する。【選択図】図７
2020519454.tif 000002
【特許請求の範囲】
【請求項１】
対向する前方方向および後方方向（ＤＦ、ＤＲ）を定義するインサート軸（Ａ）を有する切削インサートにおいて、
軸方向の対向するインサート前面および後面（２８、３０）と、それらの間に延伸するインサート周囲面（３２）であって、対向するインサート上面および下面（３４、３６）と、前記インサート上面および下面（３４、３６）を接続する対向するインサート側面（３８）とを含むインサート周囲面（３２）と、
前記インサート軸（Ａ）に垂直なインサート横軸（Ｂ）、前記インサート軸（Ａ）と前記インサート横軸（Ｂ）に垂直であり、前記インサート上面および下面（３４、３６）と交差するインサート垂直軸（Ｃ）、前記インサート軸（Ａ）と前記インサート垂直軸（Ｃ）により定義される第１の垂直面（Ｐ１）、および前記インサート横軸（Ｂ）と前記インサート垂直軸（Ｃ）により定義される第２の垂直面（Ｐ２）と、前記インサート前面（２８）および前記インサート上面（３４）の交差部において形成され、前部および後部切れ刃（４８、５０）を備え、前記前部切れ刃（４８）は、前記後部切れ刃（５０）の軸方向前方にある、分割切れ刃（４６）と、
前記インサート前面（２８）内に位置し、前記前部および後部切れ刃（４８、５０）の間に延伸するアンダーカットエッジ部（５４）で前記分割切れ刃（４６）を遮るアンダーカット（５２）と、
を備え、
前記後部切れ刃（５０）は、直線後部切れ刃部（６０）を備え、
前記切削インサート（２４）の上面図において、前記インサート軸（Ａ）に平行な想像線（Ｌ）は、接点（Ｔ）および交差部（Ｉ）において前記分割切れ刃（４６）と接線方向に接触して交差し、前記接点および交点（Ｔ、Ｉ）は、前記アンダーカットエッジ部（６０）の軸方向範囲を定め、
前記交点（Ｉ）は、前記直線後部切れ刃部（６０）の終点である、切削インサート（２４）。
【請求項２】
前記アンダーカットエッジ部（５４）は、直線アンダーカットエッジ部（６２）を備え、前記直線アンダーカットエッジ部（６２）は、前記直線後部切れ刃部（６０）と同一直線上にあり、
前記交点（Ｉ）は、前記直線アンダーカットエッジ部（６２）の終点である、請求項１の切削インサート（２４）。
【請求項３】
前記接点（Ｔ）は、前記アンダーカットエッジ部（５４）の凸状に湾曲した前部切れ刃部（６４）の終点である、請求項１または２に記載の切削インサート（２４）。
【請求項４】
前記接点（Ｔ）は、前記アンダーカットエッジ部（５４）の凸状に湾曲したアンダーカットエッジ部（６６）の終点である、請求項１乃至３のいずれか一項に記載の切削インサート（２４）。
【請求項５】
前記インサート前面（２８）は、前部および後部逃げ面（７２、７４）を備え、
前記インサート上面（３４）は、前部および後部すくい面（７６、７８）を備え、
前記前部および後部切れ刃（４８、５０）は、それぞれ前記前部および後部逃げ面（７２、７４）と前記後部すくい面（７６、７８）の交点に形成される、請求項１乃至４のいずれか一項に記載の切削インサート（２４）。
【請求項６】
前記前部すくい面（７６）は、前部すくい面（ＰＬ）により定義され、前記後部すくい面（７８）は、後部すくい面（ＰＴ）により定義され、
前記前部および後部すくい面（ＰＬ、ＰＴ）は、互いに平行であり、すくい面距離（Ｄ）だけ、互いに離間している、請求項５に記載の切削インサート（２４）。
【請求項７】
前記すくい面距離（Ｄ）は、０．２ｍｍ≦Ｄ≦０．３ｍｍの範囲内にある、請求項６に記載の切削インサート（２４）。
【請求項８】
前記前部および後部すくい面（ＰＬ、ＰＴ）は前記後方方向（ＤＲ）において、上方向に傾斜している、請求項５乃至７のいずれか一項に記載の切削インサート（２４）。
【請求項９】
前記対向するインサート側面（３８）は、前記後部切れ刃（５０）よりも前記前部切れ刃（４８）に近い前部側面（５６）と、前記前部切れ刃（４８）よりも前記後部切れ刃（５０）に近い後部側面（５８）を含み、
前記前部すくい面（７６）は、前記前部側面（５６）の方向に、前記後部すくい面（７８）から上方向に延伸する横方向に傾斜した面（８）を備える、請求項５乃至８のいずれか一項に記載の切削インサート（２４）。
【請求項１０】
前記横方向に傾斜した面（８０）は、前方方向（ＤＦ）におけるアンダーエッジ部（５４）に延伸する、請求項９に記載の切削インサート（２４）。
【請求項１１】
前記横方向に傾斜した面（８０）は、前記前部すくい面（７６）に位置する前記切りくず抑制構成（８４）に延伸し、前記切りくず抑制構成（８４）において隆起エッジ（８８）を形成する、請求項９または１０に記載の切削インサート（２４）。
【請求項１２】
前記前部および後部すくい面（７６、７８）は、各々前記分割切れ刃（４６）から離間した切りくず抑制構成（８４）を備える、請求項５乃至１１のいずれか一項に記載の切削インサート（２４）。
【請求項１３】
各切りくず抑制構成（８４）は、前記それぞれのすくい面（７６、７８）に窪んだ切りくず抑制凹部である、請求項１２の切削インサート（２４）。
【請求項１４】
前記切削インサート（２４）は、前記インサート前面（２８）に位置する正確に１つのアンダーカット（５２）を備え、前記分割切れ刃（４６）を遮る、請求項１乃至１３のいずれか一項に記載の切削インサート（２４）。
【請求項１５】
前記切削インサート（２４）の上面図において、前記直線後部切れ刃部（６０）は前記インサート軸（Ａ）に対して垂直である、請求項１乃至１４のいずれか一項に記載の切削インサート（２４）。
【請求項１６】
前記切削インサート（２４）の正面図において、前記直線後部切れ刃部（６０）は、前記インサート横軸（Ｂ）に平行である、請求項１乃至１５のいずれか一項に記載の切削インサート（２４）。
【請求項１７】
前記前部切れ刃（４８）は、直線前部切れ刃部（７０）を備える、請求項１乃至１６のいずれか一項に記載の切削インサート（２４）
【請求項１８】
前記切削インサート（２４）の上面図において、前記直線前部および後部切れ刃部（７０、６０）は互いに平行である、請求項１７に記載の切削インサート（２４）。
【請求項１９】
前記切削インサート（２４）の上面図において、前記直線前部および後部切れ刃部（７０、６０）は、前記インサート軸（Ａ）に対して垂直である、請求項１８に記載の切削インサート（２４）。
【請求項２０】
前記切削インサート（２４）の前面図において、前記直線前部および後部切れ刃部（７０、６０）は、互いに平行である、請求項１７乃至１９のいずれか一項に記載の切削インサート（２４）。
【請求項２１】
前記切削インサート（２４）の前面図において、前記直線前部および後部切れ刃部（７０、６０）は、前記インサート横軸（Ｂ）に対して平行である、請求項２０に記載の切削インサート（２４）。
【請求項２２】
前記切削インサート（２４）の正面図において、前記直線前部および後部切れ刃部（７０、６０）は、他ギアに整列している、請求項２１に記載の切削インサート（２４）。
【請求項２３】
前記インサート横軸（Ｂ）に沿った方向に測定すると、
前記前部切れ刃（４８）は、前部切れ刃長（ＬＬ）を有し、
前記後部切れ刃（５０）は、後部切れ刃長（ＬＴ）を有し、
前記前部切れ刃長（ＬＬ）は、７５％≦ＬＴ≦１２５％の範囲内にある、
請求項１乃至２２のいずれか一項に記載の切削インサート（２４）。
【請求項２４】
前記分割切れ刃（４６）は、前記対向する側面（３８）の間に、単一の前部切れ刃（４８）と単一の後部切れ刃（５０）のみを備える、請求項１乃至２３のいずれか一項に記載の切削インサート（２４）。
【請求項２５】
前記切削インサート（２４）の上面図において、前記切削インサート（２４）は、前記第１の垂直面（Ｐ１）に対して鏡面対称を欠く、請求項１乃至２４のいずれか一項に記載の切削インサート（２４）。
【発明の詳細な説明】
【技術分野】
【０００１】
この出願の主題は、切削インサート（cutting inserts）に関し、特に、チップ分割配置(a chip-splitting arrangement)を有する切削インサート（cutting inserts）に関する。
【背景技術】
【０００２】
切削インサートは、金属切削加工の間、チップを分割するためのチップ分割配置を備えることができる。典型的には、チップ分割配置は、少なくとも２つの離間された主切れ刃（cutting edge）により形成される。溝切りおよび／または突切り切削動作用（grooving and/or parting cutting operations）に設計されたこのようないくつかの切削インサートでは、少なくとも2つのメイン切れ刃は、軸方向に離間することができる。そのような切削インサートの例は、例えば、ＣＮ１０１６９８２４３およびＵＳ５９７５８１２に開示されている。
【０００３】
この出願の主題の目的は、新規で改良された切削インサートを提供することである。
この出願の主題の他の目的は、新規で改良されたチップ分割配置を有する切削インサートを提供することである。この出願の主題のさらに他の目的は、切削加工中に切れ刃の摩耗の低減を経験する切削インサートを提供することである。
【発明の概要】
【０００４】
この出願の主題の第１の態様によれば、対向する前方方向および後方方向を定義するインサート軸を有する切削インサートが設けられる。切削インサートは、軸方向に対向するインサート前方面および後方面と、それらの間に延伸するインサート周囲面であって、対向するインサート上面と、インサート下面と、インサート上面およびインサート下面を接続する対向するインサート側面とを含む、インサート周囲面と、インサート軸に垂直なインサート横軸と、インサート軸およびインサート横軸に垂直であって、インサート上面とインサート下面を交差するインサート縦軸、インサート軸とインサート縦軸により定義される第１の垂直面と、インサート横軸とインサート縦軸により定義される第２の垂直面と、インサート前面とインサート上面の交差部に形成され、前部切れ刃（leading cutting edge）および後部切れ刃（trailing cutting edge）を備え、前部切れ刃は、後部切れ刃の軸方向前方にある、分割切れ刃と、インサート前面に位置し、前部エッジと後部エッジの間に延伸するアンダーカットエッジで分割切れ刃を遮る（interrupt）アンダーカット（undercut）と、を備え、後部切れ刃は、直線上の後部切れ刃部を備え、切削インサートの上面において、インサート軸に平行な想像線は、接点において、切れ刃に接線方向に接触し、交点において、切れ刃に交差し、接点および交点は、アンダーカットエッジ部の軸方向範囲を定める、交点は、ストレート後部切れ刃部の終点である。
【０００５】
上記は要約であり、以下に記載される特徴は、本出願の主題に任意の組み合わせで適用可能であり、例えば、以下の特徴のいずれかが切削インサートに適用可能であることが理解される。アンダーカットエッジ部は、直線状のアンダーカットエッジ部を備えることができ、ストレートアンダーカットエッジ部（straight undercut edge portion）は、ストレート後部切れ刃部と同一直線上にあり得る。交点は、ストレートアンダーカットエッジ部の終点であり得る。
【０００６】
接点は、前部切れ刃の凸状に湾曲した前部切れ刃部の終端であり得る。接点は、アンダーカットエッジ部の凸状に湾曲したアンダーカットエッジ部の終点であり得る。インサート前面は、前部および後部逃げ面（relief surfaces）を備えることができる。インサート上面は、前部および後部すくい面（rake surfaces）を備えることができる。前部および後部切れ刃は、それぞれ、前部および後部にげ面と後部すくい面（trailing rake plane）との交点に形成することができる。前部すくい面は、前部すくい平面により定義することができ、後部すくい面は、後部すくい平面により定義することができる。前部および後部すくい平面は、互いに平行であり得る、すくい平面距離だけ互いに離間することができる。すくい平面距離は、０．２ｍｍ＜Ｄ＜０．３ｍｍの範囲であり得る。
【０００７】
前部および後部すくい平面は、後方方向において、上向きに傾斜させることができる。
対向するインサート側面は、後部切れ刃よりも前部切れ刃に近い前部側面と、前部切れ刃より後部切れ刃に近い後部側面を含む。前部すくい面は、前部側面に向かう方向において、後部すくい面から上方向に延伸する、横方向に傾斜した面を備えることができる。横方向に傾斜した面は、前方向において、アンダーカットエッジ部に延伸することができる。
【０００８】
横方向に傾斜した面は、前部すくい面に位置する切りくず抑制構成（chip-control arrangement）に延伸し、チップ制御配列において隆起エッジ(ridge edge)を形成することができる。前部および後部すくい面は、おのおの、分割切れ刃から離間した切りくず抑制構成を備える。各切りくず抑制構成は、それぞれのすくい面に窪んだ切りくず抑制くぼみであり得る。切削インサートは、インサート前面に位置し、分割された切れ刃を遮るアンダーカットを１つだけ備えることができる。切削インサートの上面図において、ストレート後部切れ刃部は、インサート軸に対して垂直であり得る。
【０００９】
切削インサートの正面図において、直線後部切り（straight trailing cutting edge）は、インサート軸に垂直なインサート横軸に並行であり得る。前部切れ刃は、直線前部切れ刃部を備えることができる。切削インサートの上面図において、直線前部および後部切れ刃部は、互いに平行であり得る。切削インサートの上面図において、直線前部および後部切れ刃部は、インサート軸に対して垂直であり得る。
【００１０】
切削インサートの正面図において、ストレート前部および後部切れ刃部は、互いに平行であり得る。切削インサートの正面図において、ストレート前部および後部切れ刃部は、インサート横軸に対して平行であり得る。切削インサートの正面図において、ストレート前部および後部切れ刃部は、互いに整列させることができる。インサート横軸に沿った方向で測定すると、前部切れ刃は、前部切れ刃長さを有することができる。後部切れ刃は、後部切れ刃長を有することができる。前部切れ刃長は、７５％＜ＬＴ≦１２５％の範囲内である。
【００１１】
分割切れ刃は、対向する側面間に、単一の前部切れ刃と単一の後部切れ刃のみを備えることができる。切削インサートの上面図において、切削インサートは、第１の垂直平面にについて鏡面対称性を欠く可能性がある。この出願のより良き理解のため、および実際にどのように実施されるかを示すために、添付図面を参照する。
【図面の簡単な説明】
【００１２】
【図１】図１は、切削工具の分解斜視図である。
【図２】図２は、図１に示す切削工具の分解斜視図である。
【図３】図３は、この出願の一実施形態に従う切削インサートの斜視図である。
【図４】図４は、図３に示す切削インサート上面図である。
【図５】図５は、図３に示す切削インサートの側面図である。
【図６】図６は、図３に示す切削インサートの正面図である。
【図７】図７は、図４の詳細図である。
【図８】図８は、図７の詳細図である。
【図９】図９は、図５の詳細図である。
【図１０】図１０は、図５の詳細図である。
【００１３】
説明を簡単かつ明確にするために、図に示される要素は、必ずしも縮尺通りに描かれていないことが理解されよう。例えば、いくつかの要素の寸法は、明確にするために他の要素に比べて誇張されている場合がある。適切であると考えられる場合、対応するまたは類似の要素を示すために、参照番号を図面間で反復する場合がある。
【発明を実施するための形態】
【００１４】
以下の説明では、本願の主題の様々な態様について説明する。説明の目的で、特定の構成および詳細は、本出願の主題の完全な理解を提供するために十分に詳細に述べられている。しかしながら、本出願の主題は、本明細書に提示される特定の構成および詳細なしで実施できることも当業者には、明らかであろう。
【００１５】
切り屑(chip)除去のための、切削工具２０を示す図１および２に注意が向けられる。図面に示されているこの非限定的な例では、切削工具２０は、溝入れ／分割ツール(grooving/parting tool)である。しかしながら、本願の主題は、溝切り／分割ツールのみに限定されず、例えば、フライス削りツールにも適用可能であるが、これに限定されない。切削工具２０は、典型的には、鋼から作ることができる工具ホルダ２２を有する。切削工具２０は、工具ホルダ２２に取外し可能に取り付けられた少なくとも１つの切削インサート２４も有する。図面に示されるこの非限定的な例では、切削インサート２４は、工具ホルダ２２のインサートポケット２６に弾性的に保持される。したがって、切削インサート２４は、その中に保持ネジを配置するためのねじ穴を欠いている。切削インサート２４は、通常、超鋼合金から作成することができる。本願の主題に従う、切削インサート２４を示す図３乃至６を参照する。切削インサート２４は、一体の一体型ワンピース構造を含む。切削インサート２４は、対向する前方および後方方向ＤＦ、ＤＲを定義するインサート軸Ａを有する。
図１に示すように、溝入れ／分割ツールの場合に、インサート軸Ａは、切削工具２０の送り方向Ｆと同一方向であり得る。切削インサート２４は、軸方向に対向するインサート前面２８および後面３０、およびそれらの間に延伸するインサート周囲面３２を含む。インサート前面２８は、切削インサート２４の前端に位置し、インサート後面３０は、切削インサート２４の後端に位置する。
説明および特許請求の範囲を通して「前方」および「後方」という用語を使用することは、図４および５において、それぞれインサート軸Ａの方向における相対的な位置を指す。インサート周囲面３２は、インサート軸Ａに沿って周囲に延在する。したがって、インサート軸Ａは、インサート前面２８および後面３０と交差する。インサート周囲面３２は、対向するインサート上面３４および後面３６、およびインサート上面３４とインサート後面３６を接続する対向するインサート側面３８を含む。
【００１６】
図面に示されるこの非限定的な例では、図５に最も良く見られるように、インサート下面３６は、インサート前面２８からインサート背面３０に向かう方向に段を付けることができる。そのような構成において、インサート下面３６は、インサート前面２８に隣接する下部前面４０と、インサート下面３６に隣接する下部下面４２と、下部前面４０と背面４２との間を横方向に延伸する下部中間面４４とを含むことができる。上記から、切削インサート２４は、一方向のみでインサートポケットに保持することができ、従って、切削インサートは、割り出し不能である（non-indexable)。
図５を参照すると、インサート上面３４は、インサート軸Ａに平行であり得る。切削インサート２４は、またインサート軸Ａに垂直であり、インサート側面３８と交差するインサート横軸Ｂを有する。特に、インサート側面３８は、インサート横軸Ｂに対して垂直であり得る。インサート横軸は、対向する第１および第２の横方向ＤＬ１、ＤＬ２を定義する。
切削インサート２４は、また、インサート軸Ａとインサート横軸Ｂに垂直であり、インサート上面３４とインサート下面３６と交差するインサート垂直軸Ｃを有する。インサート軸Ａ、インサート横軸Ｂおよびインサート垂直軸Ｃは、すべて互いに相互に垂直である。インサート垂直軸Ｃは、対向する上下方向ＤＵ、ＤＤを定義する。
図４乃至６を参照すると、インサート軸Ａおよびインサート垂直軸Ｃは、各々インサート側面３８の中間に延伸している。インサート側面３８は、インサート軸Ａおよびインサート垂直軸Ｃに平行であり得る。インサート軸Ａとインサート軸Ｃは、横軸Ｂに垂直な仮想第１垂直面Ｐ１を定義する。インサート横軸Ｂとインサート垂直軸Ｃは、インサート軸Ａに垂直な第２の仮想面Ｐ２を定義する。説明および特許請求の範囲全体にわたる用語「横方向」の使用は、図６において、それぞれ左右のインサート横軸Ｂの方向の相対位置を指すことを理解されたい。
同様に、説明および特許請求の範囲を通して、用語「上方」および「下方」の使用は、それぞれ図５および６の上部および底部に向かうインサート垂直軸Ｃの方向の相対位置を指す。さらに、切削インサート２４の正面図は、インサート軸Ａに沿ったインサート前面２８の正面図である。切削インサート２４の側面図は、インサート横軸Ｂに沿ったインサート側面３８の１つの前面の図である。切削インサート２４の上面図は、インサート垂直軸Ｃに沿ったインサート上面３４の前面の図である。
【００１７】
図３および４を参照すると、切削インサート２４は、インサート前面２８とインサート上面３４の交差部に形成された切れ刃４６を含む。切れ刃４６は、インサートの幅方向(widthwise direction)（すなわち、インサート横軸Ｂに沿って）分割され、インサート軸Ａに沿って互いに離間した前部および後部の切れ刃４８、５０を含む。前記切れ刃４８は、インサート軸Ａに対して、さらにインサート横軸Ｂに対して、後部切れ刃５０の軸方向前方にある。したがって、前記切れ刃および後部切れ刃４８、５０は、軸方向に互い違いになっている。前部および後部切れ刃４８、５０は、横方向ＤＬ１、ＤＬ２には、重畳しない。しかしながら、切削インサート２４（図６）の正面図に見られるように、分割切れ刃４６は、前部および後部切れ刃４８、５０の構成により、対向するインサート側面３８の間の全幅に延伸する。図に示されるように、分割切れ刃４６は、対向する側面３８の間に、単一の前部切れ刃４８と、単一の後部切れ刃５０のみを備える。
【００１８】
図７に示されるように、この出願の主題のいくつかの実施形態にしたがって、インサート横軸Ｂの沿った方向に測定されると、前部切れ刃４８は、前部切れ刃長ＬＬを有し、後部切れ刃５０は、後部切れ刃長ＬＴを有する。前部切れ刃長ＬＬは、７５％＜ＬＴ＜１２５％の範囲にあり得る。望ましくは、後部切れ刃長ＬＴは、前部切れ刃長ＬＬ未満であり得る。切削インサート２４は、インサート前面２８に位置するアンダーカット５２を含む。有利には、アンダーカット５２がインサート前面２８に配置されることにより、例えば、インサート上面に対向して、切削インサート２４は、さらなる研削プロセスなしで製造することができる。アンダーカット５２は、アンダーカットエッジ部５４において、分割切れ刃４を遮る。アンダーカット５２により、切削インサート２４（すなわち、図６）の正面図では、インサート前面２８の一部は見えない。
図７に見られるように、アンダーカットエッジ部５４は、前部切れ刃４８と後部切れ刃５０との間に延在するする。前記切れ刃４８の一部は、横方向ＤＬ２でアンダーカットエッジ部５４と完全に重畳することに留意されたい。したがって、アンダーカットエッジ部５４は、非切れ刃である。すなわち、アンダーカットエッジ部５４は、加工物の切削を行わず、むしろ、切削インサート２４にチップ分割配置を提供する役割を果たす。明確にするために、アンダーカットエッジ部５４は、切削インサートの上面図（すなわち、図４）でインサート軸Ａに平行な想像線Ｌを基準にして定義することができる。そのような図では、想像線Ｌは、接線Ｔおよび交点Ｉで分割切れ刃４６に接線方向に接触し、交差する。接線Ｔおよび交点Ｉは、アンダーカットエッジ部５４の軸方向範囲を区切る。アンダーカットエッジ部５４は、接線Ｔで前部切れ刃４８に移行し、交点Ｉで後部切れ刃５０に移行する。前部切れ刃４０と後部切れ刃５０の軸方向の互い違い（staggering）により、また、アンダーカット５４のために、上面図において、切削インサート２４は、第１の垂直面Ｐ１に関して鏡面対称性を欠く可能性がある。ここで、図７を参照すると、後部切れ刃５０は、直線の後部切れ刃部６０を含む。典型的に、後部切れ刃長ＬＴの大部分は、直線の後部切れ刃部６０により形成することができる。交点Ｉは、直線後部切れ刃部６０の終点である。
【００１９】
図８を参照すると、この出願の主題のいくつかの実施形態に従って、アンダーカットエッジ部５４は、直線アンダーカットエッジ部６２を含むことができる。交点Ｉは、直線アンダーカットエッジ部６２の終点であり得る。すなわち、直線アンダーカットエッジ部６２と直線後部切れ刃部６０は、交点Ｉで互いに移行する。直線アンダーカットエッジ部６２は、直線後部切れ刃部６０と同一線上にあり得る。したがって、交点Ｉは、連続直線エッジの非終点（non-end point）に位置することができ、その一部は、加工品を切削するための切れ刃として機能し、（すなわち、直線切れ刃部６０）その別個の部分は、機能しない（すなわち、直線アンダーカットエッジ部６２）。この出願の主題のいくつかの実施形態に従って、直線アンダーカットエッジ部６２は、直線切れ刃部６０とは反対側の端部で、凹状アンダーカットエッジ部６７に移行することができる。
【００２０】
本出願の主題のいくつかの実施形態によれば、前部切れ刃４８は、凸状に湾曲した前部切れ刃部６４を含むことができる。アンダーカットエッジ部５４は、凸状に湾曲したアンダーカットエッジ部６６を含むことができる。接点Ｔは、凸状に湾曲した前部切れ刃部６４の終点であり得る。接点Ｔは、凸状に湾曲したアンダーカットエッジ部６６の終点であり得る。言い換えると、凸状に湾曲した前部切れ刃部６４と、凸状に湾曲したアンダーカットエッジ部６６は、接点Ｔにおいて互いに移行することができる。接点Ｔは、分割切れ刃４６が横方向ＤＬ１、ＤＬ２を変更する点である。アンダーカットエッジ部５４は、凸状に湾曲したアンダーカットエッジ部６６と、凹状に湾曲したアンダーカットエッジ部６７との間に延在する直線中央アンダーカットエッジ部６８を含むことができる。図８に示すように、直線中央アンダーカットエッジ部６８と、直線後部切れ刃部６０は、外角αを形成する。外角は６０°＜α＜７０°の範囲内であり得る。
【００２１】
本出願の主題のいくつかの実施形態によれば、前記切れ刃４８は、直線前部切れ刃部７０を含むことができる。典型的には、前記切れ刃長ＬＬの大部分は、直線切れ刃部７０により形成することができる。切削インサート２４（すなわち、図４）の上面図では、直線前部および後部切れ刃部７０、６０は、互いに平行であり得る。さらに、直線前部切れ刃部７０は、インサート軸Ａに対して垂直であり得る。同様に、直線後部切れ刃部６０は、インサート軸Ａに対して垂直であり得る。切削インサート２４（すなわち、図６）の上面図では、直線前部および直線後部切れ刃部７０、６０は、互いに平行であり得る。さらに、直線前部切れ刃部７０は、インサート横軸Ｂに平行であり得る。同様に、直線後部切れ刃部６０は、インサート横軸Ｂに平行であり得る。直線前部および後部切れ刃部７０、６０は、互いに整列することができる。
【００２２】
インサート側面３８は、後部切れ刃５０よりも、前部切れ刃４８に近い前記側面５６と、前部切れ刃４８よりも後部切れ刃５０に近い後部側面５８を含む。本出願のいくつかの実施形態によれば、切削インサート２４は、インサート前面２８に位置し、分割切れ刃４６を遮る正確に１つのアンダーカット５２を含む。したがって、分割切れ刃４６は、正確に１つのアンダーカット部５４を含むことができる。そのような構成では、前部切れ刃４８は、前部側面５６に延伸し、後部切れ刃５０は、後部側面５８に延伸する。インサート前面２８は、それぞれ、前部および後部切れ刃４８、５０から延伸する前部および後部逃げ面７２、７４を含む。本願の主題のいくつかの実施形態によれば、アンダーカット５２は、前部および後部逃げ面７２、７４の間に位置することができる。
【００２３】
図面に示されるこの非限定的な例では、切削インサート２４（すなわち、図６）の正面図において、前部逃げ面７２は、インサート下面３６に向かう方向に減少する幅が変化する台形の基本形状を有することができる。インサート上面３４は、前記および後部切れ刃４８、５０から、それぞれ延伸する前部および後部すくい面７６、７８を含む。前部および後部切れ刃４８、５０は、それぞれ、前部および後部逃げ面７２、７４と後部すくい面７６、７８の交差部に形成される。本主題のいくつかの実施形態によれば、前部すくい面７６は、前記すくい面ＰＬにより定義され、後部すくい面７８は、後部すくい面ＰＴにより定義され得る。
【００２４】
切削インサート２４の図５の側面図（または、その詳細、例えば、図８）に見られるように、前部および後部すくい面ＰＬ、ＰＴは、互いに平行であり、すくい面距離Ｄだけ互いに離間することができる。すくい面距離Ｄは、０．２ｍｍ＜Ｄ＜０．３ｍｍの範囲内であり得る。前部および後部すくい面ＰＬ、ＰＴは、後方方向ＤＲに上向きに傾斜することができる。
別の言い方をすれば、前記および後部すくい面ＰＬ、ＰＴは、それぞれの切れ刃４８、５０から後方方向ＤＲに延伸するにつれ、インサート軸Ａからの距離を増加させることができる。
【００２５】
前部すくい面７６は、後部すくい面７８から前部側面５６に向かう方向に上向きに延伸する横方向傾斜面８０を含むことができる。横方向傾斜面８０は、前方方向ＤＦにアンダーカットエッジ部５４まで延伸することができる。前部および後部すくい面７６、７８は、後方方向ＤＲにおいて、インサート軸Ａに対して横方向に向けられた切りくず偏向突起８２まで延伸することができる。本出願の主題のいくつかの実施形態によれば、前部および後部すくい面７６、７８は、各々分割切れ刃４６から離間した切りくず抑制構成８４を含むことができる。
各切りくず抑制構成８４は、それぞれのすくい面７６、７８に窪み制御された切りくず抑制御凹部８６を含むことができる。前部および後部すくい面７６、７８に関連づけられた切りくず抑制構成８４は、同一でなくてもよい。各切りくず抑制構成８４は、後方方向ＤＲに、長手方向に延伸することができる。インサート軸Ａに垂直な平面でとられ、前方方向ＤＦ（例えば、図１０）を見る断面図に見られるように、横方向に傾斜した面８０は、前部すくい面７６に位置する切りくず抑制構成８０まで延伸することができ、前記切りくず抑制構成８４において隆起エッジ８８を形成する。
【００２６】
従来技術に見られるように、後部切れ刃は、（例えば、湾曲が相対的に小さくても）凹状に湾曲した軸方向前部を有することができる。この凹状に湾曲した部分は、切削操作中にワークピースに出会うための後部切れ刃の最初の部分であり、摩耗しやすい。後部切れ刃５０の摩耗は、その切りくず形成能力に有害であり、工具寿命も短縮する。従って、交点Ｉが、直線後部切れ刃部６０の終点であるため、分割切れ刃４８、または、より具体的には、後部切れ刃５０は、より少ない摩耗を受ける。本出願の主題をある程度詳細に説明したが、特許請求の範囲に記載された本発明の精神または範囲から逸脱することなく、さまざまな変更および修正を行うことができる。
【図１】
2020519454.tif 000003
【図２】
2020519454.tif 000004
【図３】
2020519454.tif 000005
【図４】
2020519454.tif 000006
【図５】
2020519454.tif 000007
【図６】
2020519454.tif 000008
【図７】
2020519454.tif 000009
【図８】
2020519454.tif 000010
【図９】
2020519454.tif 000011
【図１０】
2020519454.tif 000012
【国際調査報告】
2020519454.tif 000013
2020519454.tif 000014
2020519454.tif 000015
2020519454.tif 000016